(57)【要約】【課題】配索板上に布線されたワイヤーハーネスへのコルゲートチューブの取付の作業性を向上させるとともに、作業者への負担を軽減することができる布線治具を提供すること。【解決手段】布線治具１は、ワイヤーハーネス２を支持案内する支持案内部材４とコルゲートチューブ３をワイヤーハーネス２に挿通案内する挿通部材５とを備え、挿通部材５は、挿通始端部１０と挿通始端部１０から挿通されたコルゲートチューブ３を拡開する拡開部１１と支持案内部材４で支持されたワイヤーハーネス２を支持する分岐部１２とを有し、且つ分岐部１２で支持されたワイヤーハーネス２にコルゲートチューブ３を直線状に挿通案内するように支持案内部材４に設ける。【選択図】  図１
2004152525.tif 000002
【特許請求の範囲】
【請求項１】
配索板上にワイヤーハーネスを布線するとともに該ワイヤーハーネスにコルゲートチューブを取り付けるための布線治具であって、
前記ワイヤーハーネスを支持案内する支持案内部材と前記コルゲートチューブを前記ワイヤーハーネスに挿通案内する挿通部材とを備え、該挿通部材は、挿通始端部と該挿通始端部から挿通された前記コルゲートチューブを拡開する拡開部と前記支持案内部材で支持されたワイヤーハーネスを支持する分岐部とを有し、且つ該分岐部で支持された前記ワイヤーハーネスに前記コルゲートチューブを直線状に挿通案内するように前記支持案内部材に設けたことを特徴とする布線治具。
【請求項２】
前記挿通部材を前記支持案内部材の下部に設け、
前記支持案内部材を前記配索板上に支持する支持部材を、前記挿通部材からの前記ワイヤーハーネスへの前記コルゲートチューブの挿通を妨げないように形成したことを特徴とする請求項１に記載の布線治具。
【請求項３】
前記挿通部材を、前記支持案内部材の側部に設けたことを特徴とする請求項１に記載の布線治具。
【請求項４】
前記挿通部材の前記分岐部の各分岐枝を、前記配索板に対して垂直な方向に上下に並ぶように設けるとともに、下側分岐枝よりも上側分岐枝を短く形成したことを特徴とする請求項３に記載の布線治具。
【請求項５】
前記分岐部の少なくとも一方の分岐枝の先端部を前記ワイヤーハーネスよりも突出させたことを特徴とする請求項１，２，３又は４に記載の布線治具。
【請求項６】
前記支持案内部材で支持案内された前記ワイヤーハーネスに対して近づいたり遠ざかったりするように前記層通部材を回動自在に前記支持案内部材に設けたことを特徴とする請求項１，２，３，４又は５に記載の布線治具。
【発明の詳細な説明】
【０００１】
【発明の属する技術分野】
本発明は、配索板上にワイヤーハーネスを布線するとともに該ワイヤーハーネスにコルゲートチューブを取り付けるための布線治具に関する。
【０００２】
【従来の技術】
一般に自動車のワイヤーハーネスの組み立て成形において、ワイヤーハーネスを配索板上で所定の形状に形成するにあたっては、図８に示すような略Ｙ字状の布線治具５０を複数個配索板上に固定し、ワイヤーハーネスを配索板上の各布線治具に布線して所定の形状に形成する。
【０００３】
そして、このように配索板上で布線治具５０に布線されたワイヤーハーネスに、ワイヤーハーネスを保護するためのコルゲートチューブを取り付ける際、従来では例えば図９に示すような取付治具が用いられている。
【０００４】
図に示された取付治具５１は、断面逆Ｕ字状の治具本体５２を有し、該治具本体５２の一端には他端側へ向かって斜め上方に伸びるガイド部５３が設けられ、さらに治具本体５２の他端には取手部５４が設けられている。
【０００５】
そして、かかる構成の取付治具５１を用いてワイヤーハーネス２にコルゲートチューブ３を取り付けるには、まず取手部５４を片方の手で持ってワイヤーハーネス２の上方から被せる。そして、もう片方の手でコルゲートチューブ３をそのスリット１３を下にしてガイド部５３に沿って矢印Ｘ方向に挿し込んでゆく。このとき、取付治具５１の治具本体５２の逆Ｕ字状の外面５５により先端からスリット１３が拡開され、最大開きを越えるとコルゲートチューブ３の弾性によりスリット１３が閉じて、コルゲートチューブ３の先端をワイヤーハーネス２に挿通させる（図１０）。そして、この状態から取付治具５１を図１０の矢印Ｙの方向に向かって移動させると、治具本体５２の外面５５によってコルゲートチューブ３のスリット１３が拡開され、治具本体５２の内面（不図示）によってワイヤーハーネス２が案内され、取付治具５１の移動の先々でスリット１３が拡開するとともに、その位置で次々とスリット１３が閉じ、最終的にはコルゲートチューブ３がその全長に渡ってワイヤハーネス２に挿通案内されて取り付けられる。
【０００６】
また、この他にもワイヤーハーネスにコルゲートチューブを取り付けるための治具として、コルゲートチューブをワイヤーハーネスに挿通案内して取り付けるためのチューブガイドを、配索板上に固定されるベース部に設けた布線治具が提案されている（例えば、特許文献１参照。）。
【０００７】
【特許文献１】
実開平６−５４１４４号公報（第７〜９頁、第１図）
【０００８】
【発明が解決しようとする課題】
しかしながら、上記取付治具５１は、コルゲートチューブを取り付けようとする箇所に持ち運んで作業を行う必要があるため、作業者にとって煩雑であるとともに、取付治具５１が手元にない場合にはこれを持ってくる手間や探す手間がかかって作業性が悪くなってしまう。また、片方の手で取付治具５１の取手部５４を持ち、もう片方の手でコルゲートチューブ３を持って作業を行うため、両手作業となって作業者に負担をかけてしまう。
【０００９】
また、特許文献１に記載の布線治具によればこのような懸念はなく、ワイヤーハーネスへのコルゲートチューブの取付の作業性が良好であるが、更に作業性を向上させた治具が望まれている。
【００１０】
本発明の目的は、配索板上に布線されたワイヤーハーネスへのコルゲートチューブの取付の作業性を向上させるとともに、作業者への負担を軽減することができる布線治具を提供することにある。
【００１１】
【課題を解決するための手段】
上記目的を達成するために、請求項１に記載の発明は、配索板上にワイヤーハーネスを布線するとともに該ワイヤーハーネスにコルゲートチューブを取り付けるための布線治具であって、前記ワイヤーハーネスを支持案内する支持案内部材と前記コルゲートチューブを前記ワイヤーハーネスに挿通案内する挿通部材とを備え、該挿通部材は、挿通始端部と該挿通始端部から挿通された前記コルゲートチューブを拡開する拡開部と前記支持案内部材で支持されたワイヤーハーネスを支持する分岐部とを有し、且つ該分岐部で支持された前記ワイヤーハーネスに前記コルゲートチューブを直線状に挿通案内するように前記支持案内部材に設けたことを特徴とする。
【００１２】
かかる構成から、作業者が挿通部材の挿通始端部からコルゲートチューブの先端を挿通して押し込んでいくと、拡開部によってスリットが拡開し、スリットが拡開したコルゲートチューブはワイヤーハーネスを支持している分岐部の先端を越えた位置において弾性によってスリットが閉じ、分岐部で支持されたワイヤーハーネスにコルゲートチューブが直線状に挿通案内されて取り付けられる。そして、コルゲートチューブの後端が分岐部の先端を越えた位置に達するまでコルゲートチューブを押し込むと、ワイヤーハーネスへのコルゲートチューブの取付を完了する。
【００１３】
このような請求項１に記載の発明では、挿通部材を支持案内部材に設け、コルゲートチューブをワイヤーハーネスに直線状に挿通案内するようになっているので、コルゲートチューブの挿通をスムーズに行うことができ、更なる作業性の向上を図ることができる。また、配索板上に固定される布線治具に挿通部材を設けているので、コルゲートチューブをワイヤーハーネスに取り付けるための治具を持ち運ぶ必要がなく、作業性が良好である。また、作業にあたって、作業者はコルゲートチューブを持つだけでよいので、片手だけで作業を行うことができ、作業負担が軽減される。
【００１４】
請求項２に記載の発明は、前記挿通部材を前記支持案内部材の下部に設け、前記支持案内部材を前記配索板上に支持する支持部材を、前記挿通部材からの前記ワイヤーハーネスへの前記コルゲートチューブの挿通を妨げないように形成したことを特徴とする。
【００１５】
かかる構成から、請求項１に記載の発明と同様の作用効果を得ることができるとともに、挿通部材を支持案内部材の下部に設けたので、コルゲートチューブをワイヤーハーネスに挿通する作業を行うに当たり、作業者がワイヤーハーネス及びコルゲートチューブを視認しやすく、作業をスムーズに行うことができる。
【００１６】
請求項３に記載の発明は、前記挿通部材を、前記支持案内部材の側部に設けたことを特徴とする。
【００１７】
かかる構成から、請求項１に記載の発明と同様の作用効果を得ることができるとともに、挿通部材を支持案内部材の側部に設けたので、コルゲートチューブをワイヤーハーネスに挿通する作業を行うに当たり、作業者がワイヤーハーネス及びコルゲートチューブを視認しやすく、作業をスムーズに行うことができる。
【００１８】
請求項４に記載の発明は、前記挿通部材の前記分岐部の各分岐枝を、前記配索板に対して垂直な方向に上下に並ぶように設けるとともに、下側分岐枝よりも上側分岐枝を短く形成したことを特徴とする。
【００１９】
かかる構成から、支持案内部材に上方からワイヤーハーネスを布線する際に、上側分岐枝が布線の妨げとならず、布線作業をスムーズに行うことができる。
【００２０】
請求項５に記載の発明は、前記分岐部の少なくとも一方の分岐枝の先端部を前記ワイヤーハーネスよりも突出させたことを特徴とする。
【００２１】
かかる構成から、拡開部によって拡開したコルゲートチューブのスリットが閉じる位置は、分岐部で支持されたワイヤーハーネスを越えた位置であるので、ワイヤーハーネスへのコルゲートチューブの取付の際にワイヤーハーネスを傷つけてしまうことがない。
【００２２】
請求項６に記載の発明は、前記分岐部が前記支持案内部材で支持案内された前記ワイヤーハーネスに対して近づいたり遠ざかったりするように前記挿通部材を回動自在に前記支持案内部材に設けたことを特徴とする。
【００２３】
かかる構成から、支持案内部材にワイヤーハーネスを布線する際に、挿通部材を布線の妨げとならないような位置に回動させて移動させることができるので、布線作業をスムーズに行うことができる。
【００２４】
【発明の実施の形態】
以下、本発明に係る布線治具の第１の実施の形態について図１から図３に基づいて説明する。
【００２５】
図において、１は配索板上にワイヤーハーネス２を布線するとともに該ワイヤーハーネス２にコルゲートチューブ３を取り付けるための布線治具である。
【００２６】
この布線治具１は、ワイヤーハーネス２を支持案内する支持案内部材４とコルゲートチューブ３をワイヤーハーネス２に挿通案内する挿通部材５と支持案内部材４を配索板（不図示）上に支持する支持部材６とを備えている。
【００２７】
前記支持案内部材４は、ワイヤーハーネス２を支持する底部７と該底部７の両端部から伸びるアーム部８，８を有する略Ｕ字状の形状となっている。
【００２８】
前記挿通部材５は支持案内部材４の下部１５に設けられている。より具体的には挿通部材５は、連結部９を介してＵ字状の支持案内部材４の底部７の下部に設けられている。なお、本明細書において支持案内部材４の下部１５とは、支持案内部材４で支持されたワイヤーハーネス２よりも下方の部分を意味している。
【００２９】
そして、挿通部材５は、挿通始端部１０と該挿通始端部１０から挿通されたコルゲートチューブ３を拡開する拡開部１１と支持案内部材４で支持されたワイヤーハーネス２を支持する分岐部１２とを有している。
【００３０】
前記挿通始端部１０はその縦幅及び横幅がコルゲートチューブ３の内径よりも小さくなっていて、コルゲートチューブ３のスリット１３を手で拡開させずともコルゲートチューブ３を挿通することができるようになっている。
【００３１】
前記拡開部１１は挿通始端部１０から次第に幅が広くなるように形成され、分岐部１２で支持されているワイヤーハーネス２へのコルゲートチューブ３の挿通ができるように十分にコルゲートチューブ３のスリット１３を拡開させることができるように形成されている。
【００３２】
前記分岐部１２は、挿通始端部１０とは反対側の端部に形成されていて、本例では各分岐枝１４，１４でワイヤーハーネス２を挟持して支持するようになっている。そして、各分岐枝１４，１４の先端部１６はワイヤーハーネス２よりも突出している。
【００３３】
このように挿通始端部１０、拡開部１１、分岐部１２を有する挿通部材５は、挿通始端部１０、拡開部１１及び分岐部１２とが直線上に並ぶように形成されていて（一端から他端まで直線状に形成されていて）、挿通始端部１０から挿通したコルゲートチューブ３を、支持案内部材４で支持されたワイヤーハーネス２に直線状に挿通案内するように形成されている。なおここに、直線状とは、略コの字のように挿通したコルゲートチューブが折れ曲がって挿通しにくいようなものを含まない趣旨である。ただし、完全な直線には限定されず、例えばコルゲートチューブをスムーズに挿通することができる程度の湾曲や略くの字等を含む。
【００３４】
前記支持部材６は、一端はＵ字状の支持案内部材４の一方のアーム部８に設けられ、他端は配索板（不図示）上に適宜手段で固定される固定部１７となっている。そして、挿通部材５からのワイヤーハーネス２へのコルゲートチューブ３への挿通を妨げないように一端側から略Ｃ字状に形成した逃げ部１８を有している。
【００３５】
次にこのように構成された本例の布線治具１の使用例について説明する。
【００３６】
まず、配索板（不図示）上に本例の布線治具１をその支持部材６の他端側の固定部１７を適宜手段で固定して配索板（不図示）に複数設け、前記Ｕ字状の支持案内部材４に上方からワイヤーハーネス２を入れて底部７でワイヤーハーネス２を支持させるとともに、分岐部１２でワイヤーハーネス２を挟持させて支持させワイヤーハーネス２を布線する。
【００３７】
そして、このようにして布線されたワイヤーハーネス２へのコルゲートチューブ３の取り付けは以下のようにして行われる。
【００３８】
すなわち、スリット１３を上側に位置させたコルゲートチューブ３の先端を挿通部材５の挿通始端部１０から挿通して押し込んでいくと、拡開部１１によってスリット１３が拡開し、スリット１３が拡開したコルゲートチューブ３は分岐部１２の先端部１６を越えた位置において弾性によってスリット１３が閉じ、分岐部１２で支持されたワイヤーハーネス２にコルゲートチューブ３が直線状に挿通案内されて取り付けられる（図３）。そして、コルゲートチューブ３の後端が分岐部の先端を越えた位置に達するまでコルゲートチューブ３を押し込むと、ワイヤーハーネス２へのコルゲートチューブ３の取付を完了する。
【００３９】
かかる本例の布線治具１では、挿通部材５を支持案内部材４の下部１５に設け、コルゲートチューブ３をワイヤーハーネス２に直線状に挿通案内するようになっているので、コルゲートチューブ３の挿通をスムーズに行うことができ、更なる作業性の向上を図ることができる。また、配索板上に固定される布線治具１に挿通部材５を設けているので、コルゲートチューブ３をワイヤーハーネス２に取り付けるための治具を持ち運ぶ必要がなく、作業性が良好である。また、作業にあたって、作業者はコルゲートチューブ３を持つだけでよいので、片手だけで作業を行うことができ、作業負担が軽減される。
【００４０】
また、挿通部材５が支持案内部材４の下部１５、すなわち本例ではＵ字状の支持案内部材４の底部７の下部に設けられているので、コルゲートチューブ３をワイヤーハーネス２に挿通する作業を行うに当たり、作業者がワイヤーハーネス２及びコルゲートチューブ３を視認しやすく、作業をスムーズに行うことができる。
【００４１】
また、分岐部１２の先端部１６がワイヤーハーネス２よりも突出するようになっているので、拡開部１１によって拡開したコルゲートチューブ３のスリット１３が閉じる位置は、分岐部１２で支持されたワイヤーハーネス２を越えた位置となり、ワイヤーハーネス２へのコルゲートチューブ３の取付の際にワイヤーハーネス２を傷つけてしまうことがない。
【００４２】
次に、本発明に係る布線治具の第２の実施の形態について図４及び図５に基づいて説明する。
【００４３】
図において、布線治具２０は、第１の実施の形態と同様、ワイヤーハーネス２を支持案内する支持案内部材２１とコルゲートチューブ３をワイヤーハーネス２に挿通案内する挿通部材２２と支持案内部材２１を配索板（不図示）上に垂直に支持する支持部材２３とを備えている。
【００４４】
前記支持案内部材２１は、ワイヤーハーネス２を支持する底部２４と該底部２４の両端部から伸びるアーム部２５，２５を有する略Ｕ字状の形状となっている。
【００４５】
前記挿通部材２２は、支持案内部材２１の側部２６に設けられている。より具体的には挿通部材２２は、支持案内部材２１の一方のアーム部２５に、支持案内部材２１の底部２４で支持されたワイヤーハーネス２を後述の下側分岐枝で支持することができるような位置（ワイヤーハーネス２に対して水平方向に横の位置）で棒状の連結部２７を介して支持案内部材２１と一体に設けられている。
【００４６】
なお、本明細書において挿通部材２２が設けられる支持案内部材２１の側部２６とは、支持案内部材２１で支持されたワイヤーハーネス２に対して水平方向に横の部分から上方の部分を意味している。したがって、例えば挿通部材２２は、図示した位置よりも上方のアーム部２５に設けてもよい。この場合は、挿通部材２２の形状を、支持案内部材２１で支持されたワイヤーハーネス２を後述の下側分岐枝で支持できるような形状に形成する。
【００４７】
ここで前記連結部２７は一端が後述の下側分岐枝の根本付近に設けられ、ここから斜め上方に向かって伸びて他端がアーム部２５に設けられるように形成されている。この連結部２７により、支持案内部材２１のアーム部２５と挿通部材２２との間に隙間が形成され、後述のように挿通部材２２へコルゲートチューブ３を挿通するときにスムーズな挿通ができるようになっている。
【００４８】
かかる挿通部材２２は、挿通始端部２８と該挿通始端部２８から挿通されたコルゲートチューブ３を拡開する拡開部２９と支持案内部材２１で支持されたワイヤーハーネス２を支持する分岐部３０とを有している。本例においては、分岐部３０は各分岐枝（上側分岐枝３１、下側分岐枝３２）が挿通始端部２８とは反対側の端部に向かって所定の角度をもって広がるように形成されており拡開部２９ともなっている。その角度にあっては、ワイヤーハーネス２へのコルゲートチューブ３の挿通ができるように十分にコルゲートチューブ３のスリット（図４、図５においては不図示）を拡開させることができる角度となっている。
【００４９】
そして、挿通部材２２は、分岐部３０の各分岐枝（上側分岐枝３１、下側分岐枝３２）が配索板（不図示）に対して垂直な方向（布線治具の長手方向）に上下に並ぶようにして前記支持案内部材２１のアーム部２５に設けられている。分岐部３０の各分岐枝の長さにあっては、上側分岐枝３１よりも下側分岐枝３２の方が長く形成されている。具体的には、下側分岐枝３２の長さは支持案内部材２１で支持されたワイヤーハーネス２を下側分岐枝３２で支持することが可能であり且つワイヤーハーネスよりも先端部３３が突出するような長さとなっている。また、上側分岐枝３１の長さは、ワイヤーハーネス２をＵ字状の支持案内部材２１に上方から挿入して底部２４で支持させる際に、上側分岐枝３１が挿入の妨げとならないような長さとなっている。
【００５０】
かかる挿通部材２２も、第１の実施の形態と同様、挿通始端部２８から挿通したコルゲートチューブ３を、支持案内部材２１で支持されたワイヤーハーネス２に直線状に挿通案内するように形成されている。
【００５１】
なお、前記挿通始端部２８は断面略円形となっていて、その直径がコルゲートチューブ３の内径よりも小さくなっていて、コルゲートチューブ３のスリットを手で拡開させずともコルゲートチューブ３を挿通することができるようになっている。前記上側分岐枝３１及び下側分岐枝３２も断面略円形となっていてその直径がコルゲートチューブ３の内径よりも小さくなっている。
【００５２】
前記支持部材２３は、その一端がＵ字状の支持案内部材２１の底部２４の下部に設けられ他端が配索板（不図示）上に適宜手段で固定される固定部３４となっている。
【００５３】
次にこのように構成された本例の布線治具１の使用例について説明する。
【００５４】
まず、配索板（不図示）上に本例の布線治具１をその支持部材２３の他端側の固定部３４を適宜手段で固定して配索板（不図示）に複数設け、前記Ｕ字状の支持案内部材２１に上方からワイヤーハーネス２を入れて底部２４でワイヤーハーネス２を支持させるとともに、下側分岐枝３２でワイヤーハーネス２を支持させて布線する。
【００５５】
そして、このようにして布線されたワイヤーハーネス２へのコルゲートチューブ３の取り付けは以下のようにして行われる。
【００５６】
すなわち、スリットをワイヤーハーネス２に向かって位置させたコルゲートチューブ３の先端を挿通部材２２の挿通始端部２８から挿通して押し込んでいくと、拡開部２９すなわち分岐部３０の上側分岐枝３１と下側分岐枝３２によってスリットが拡開し、スリットが拡開したコルゲートチューブ３は下側分岐枝３２の先端部３３を越えた位置において弾性によってスリットが閉じ、下側分岐枝３２で支持されたワイヤーハーネス２にコルゲートチューブ３が直線状に挿通案内されて取り付けられる。そして、コルゲートチューブ３の後端が下側分岐枝３２の先端部３３を越えた位置に達するまでコルゲートチューブ３を押し込むと、ワイヤーハーネス２へのコルゲートチューブ３の取付を完了する。
【００５７】
かかる本例の布線治具２０では、挿通部材２２を支持案内部材２１の側部２６に設け、コルゲートチューブ３をワイヤーハーネス２に直線状に挿通案内するようになっているので、コルゲートチューブ３の挿通をスムーズに行うことができ、更なる作業性の向上を図ることができる。また、配索板上に固定される布線治具２０に挿通部材２２を設けているので、コルゲートチューブ３をワイヤーハーネス２に取り付けるための治具を持ち運ぶ必要がなく、作業性が良好である。また、作業にあたって、作業者はコルゲートチューブ３を持つだけでよいので、片手だけで作業を行うことができ、作業負担が軽減される。
【００５８】
また、挿通部材２２が支持案内部材２１の側部２６、すなわち本例ではＵ字状の支持案内部材２１のアーム部２５に設けられているので、コルゲートチューブ３をワイヤーハーネス２に挿通する作業を行うに当たり、作業者がワイヤーハーネス２及びコルゲートチューブ３を視認しやすく、作業をスムーズに行うことができる。
【００５９】
また、下側分岐枝３２の先端部３３がワイヤーハーネス２よりも突出するようになっているので、拡開したコルゲートチューブ３のスリットが閉じる位置は、分岐部３０で支持されたワイヤーハーネス２を越えた位置となり、ワイヤーハーネス２へのコルゲートチューブ３の取付の際にワイヤーハーネス２を傷つけてしまうことがない。
【００６０】
また下側分岐枝３２よりも上側分岐枝３１の方が短くなっているので、支持案内部材２１に上方からワイヤーハーネス２を布線する際に、上側分岐部３１が布線の妨げとならず、布線作業をスムーズに行うことができる。
【００６１】
次に、本発明に係る布線治具の第３の実施の形態について図６及び図７に基づいて説明する。なお、上記第２の実施の形態と同一の要素についてはその説明を省略する。
【００６２】
本例の布線治具４０では、挿通部材２２の上側分岐枝３１と下側分岐枝３２は同じ長さとなっている。そして上側分岐枝３１及び下側分岐枝３２の先端部３３が支持案内部材２１で支持されたワイヤーハーネス２よりも突出するようになっており、上側分岐枝３１及び下側分岐枝３２によってワイヤーハーネス２が挟持されて支持されるようになっている。
【００６３】
そして、挿通部材２２は支持案内部材２１の側部２６、すなわちＵ字状の支持案内部材２１の一方のアーム部２５に、支持案内部材２１で支持されたワイヤーハーネス２に向かって分岐部３０が近づいたり遠ざかったりするように回動自在に設けられている。
【００６４】
具体的には、挿通部材２２には、支持案内部材２１のアーム部２５に嵌合可能な円筒部４１（図７では図示省略）が下側分岐枝３２から斜め上方に向かって延設された棒状の連結部４２を介して設けられていて、アーム部２５に円筒部４１が回動自在に嵌合している。これにより、挿通部材２２を回動させて、支持案内部材２１で支持案内されたワイヤーハーネス２に対して分岐部３０を近づけたり遠ざけたりすることが可能となっている。
【００６５】
本例にあっては挿通部材２２は、支持案内部材２１で支持されたワイヤーハーネス２に対して水平方向に横となる位置に設けられている。
【００６６】
次にこのように構成された本例の布線治具４０の使用例について説明する。
【００６７】
まず、配索板（不図示）上に本例の布線治具４０をその支持部材２３の他端側の固定部３４を適宜手段で固定して配索板（不図示）に複数設け、前記Ｕ字状の支持案内部材２１に上方からワイヤーハーネス２を入れて底部２４でワイヤーハーネス２を支持させるとともに、上側分岐枝３１及び下側分岐枝３２でワイヤーハーネス２を挟持させて支持させワイヤーハーネス２を布線する。このとき、挿通部材２２はワイヤーハーネス２の布線の妨げとならないような位置まで回動させて移動させておく。
【００６８】
そして、このようにして布線されたワイヤーハーネス２へのコルゲートチューブ３の取り付けは以下のようにして行われる。
【００６９】
すなわち、スリットをワイヤーハーネス２に向かって位置させたコルゲートチューブ３の先端を挿通部材２２の挿通始端部２８から挿通して押し込んでいくと、拡開部２９すなわち分岐部３０の上側分岐枝３１と下側分岐枝３２によってスリットが拡開し、スリットが拡開したコルゲートチューブ３は分岐部３０（上側分岐枝３１及び下側分岐枝３２）の先端部３３を越えた位置において弾性によってスリットが閉じ、上側分岐枝３１及び下側分岐枝３２とで挟持されて支持されたワイヤーハーネス２にコルゲートチューブ３が直線状に挿通案内されて取り付けられる。そして、コルゲートチューブ３の後端が分岐部３０（上側分岐枝３１及び下側分岐枝３２）の先端を越えた位置に達するまでコルゲートチューブ３を押し込むと、ワイヤーハーネス２へのコルゲートチューブ３の取付を完了する。
【００７０】
かかる本例の布線治具４０では、挿通部材２２を支持案内部材２１の側部２６に設け、コルゲートチューブ３をワイヤーハーネス２に直線状に挿通案内するようになっているので、コルゲートチューブ３の挿通をスムーズに行うことができ、更なる作業性の向上を図ることができる。また、配索板上に固定される布線治具４０に挿通部材２２を設けているので、コルゲートチューブ３をワイヤーハーネス２に取り付けるための治具を持ち運ぶ必要がなく、作業性が良好である。また、作業にあたって、作業者はコルゲートチューブ３を持つだけでよいので、片手だけで作業を行うことができ、作業負担が軽減される。
【００７１】
また、挿通部材２２が支持案内部材２１の側部２６、すなわち本例ではＵ字状の支持案内部材２１のアーム部２５に設けられているので、コルゲートチューブ３をワイヤーハーネス２に挿通する作業を行うに当たり、作業者がワイヤーハーネス２及びコルゲートチューブ３を視認しやすく、作業をスムーズに行うことができる。
【００７２】
また、分岐部３０（上側分岐枝３１と下側分岐枝３２）の先端部３３がワイヤーハーネス２よりも突出するようになっているので、拡開したコルゲートチューブ３のスリットが閉じる位置は、分岐部３０で支持されたワイヤーハーネス２を越えた位置となり、ワイヤーハーネス２へのコルゲートチューブ３の取付の際にワイヤーハーネス２を傷つけてしまうことがない。
【００７３】
また、支持案内部材２１にワイヤーハーネス２を布線する際に、挿通部材２２を布線の妨げとならないような位置に回動させて移動させることができるので、布線作業をスムーズに行うことができる。
【００７４】
なお、支持案内部材に挿通部材が設けられる箇所は、上記実施の形態に限られるものではない。
【００７５】
【発明の効果】
以上説明したように請求項１に係る発明によれば、コルゲートチューブの挿通をスムーズに行うことができ、更なる作業性の向上を図ることができる。また、コルゲートチューブをワイヤーハーネスに取り付けるための治具を持ち運ぶ必要がなく、作業性が良好である。また、作業にあたって、作業者はコルゲートチューブを持つだけでよいので、片手だけで作業を行うことができ、作業負担が軽減される。
【００７６】
請求項２，３に記載の発明によれば、請求項１に記載の発明の効果に加え、コルゲートチューブをワイヤーハーネスに挿通する作業を行うに当たり、作業者がワイヤーハーネス及びコルゲートチューブを視認しやすく、作業をスムーズに行うことができる。
【００７７】
請求項４に記載の発明によれば、支持案内部材に上方からワイヤーハーネスを布線する際に、上側分岐枝が布線の妨げとならず、布線作業をスムーズに行うことができる。
【００７８】
請求項５に記載の発明によれば、ワイヤーハーネスへのコルゲートチューブの取付の際にワイヤーハーネスを傷つけてしまうことがない。
【００７９】
請求項６に記載の発明によれば、支持案内部材にワイヤーハーネスを布線する際に、挿通部材を布線の妨げとならないような位置に回動させて移動させることができ、布線作業をスムーズに行うことができる。
【図面の簡単な説明】
【図１】本発明に係る布線治具の第１の実施の形態を示す斜視図。
【図２】図１の側面図。
【図３】図１で布線治具の挿通部材にコルゲートチューブを挿通した状態を示す斜視図。
【図４】本発明に係る布線治具の第２の実施の形態を示す平面図。
【図５】図４の布線治具を図４の矢印Ａ方向から見た正面図。
【図６】本発明に係る布線治具の第３の実施の形態を示す平面図。
【図７】図６の布線治具を図６の矢印Ｂ方向から見た正面図。
【図８】従来の布線治具の斜視図。
【図９】従来の取付治具によるワイヤーハーネスへのコルゲートチューブの取付作業の説明図。
【図１０】従来の取付治具によるワイヤーハーネスへのコルゲートチューブの取付作業の説明図。
【符号の説明】
１，２０，４０      布線治具
２      ワイヤーハーネス
３      コルゲートチューブ
４，２１      支持案内部材
５，２２      挿通部材
６，２３      支持部材
１０，２８    挿通始端部
１１，２９    拡開部
１２，３０    分岐部
１４    分岐枝
１５    下部
１６    先端部
３１    上側分岐枝
３２    下側分岐枝
【図１】
2004152525.tif 000003
【図２】
2004152525.tif 000004
【図３】
2004152525.tif 000005
【図４】
2004152525.tif 000006
【図５】
2004152525.tif 000007
【図６】
2004152525.tif 000008
【図７】
2004152525.tif 000009
【図８】
2004152525.tif 000010
【図９】
2004152525.tif 000011
【図１０】
2004152525.tif 000012